(57)【要約】【課題】両面記録、記録済記録用紙のソート、中綴じ及びパンチ穴空け等の選択的処理機能を有する受信側たる外部装置の前記選択的処理を、送信側からの操作により利用することが出来るデータ送受信装置及びデータ送受信システムを提供することにある。【解決手段】例えば送信側のデジタル複合機から、選択的処理を行う受信側たるデジタル複合機に画像データを送信する場合、前記選択的処理に係るデータの送信を受信側に要求し、前記外部装置から受信した前記データに基づき、所定の選択的処理の実行指示を、受信側に送信すべき画像データに付して送信する。【選択図】図２
2009260498.tif 000002
【特許請求の範囲】
【請求項１】
受信した画像データに基づく画像記録処理の際又は該画像記録処理後、１又は複数の選択的処理を実行する外部装置に、画像データを送信するデータ送受信装置において、
前記外部装置の選択的処理に係るデータの送信を前記外部装置に要求する手段と、
前記外部装置から受信したデータに基づき、所定の選択的処理の実行指示を、前記外部装置に送信すべき画像データに付して送信する手段と
を備えることを特徴とするデータ送受信装置。
【請求項２】
前記外部装置への前記データの送信要求は、ＩＴＵ−ＴのＴシリーズ勧告の範囲外である非標準機能によって行うように構成していることを特徴とする請求項１に記載のデータ送受信装置。
【請求項３】
表示部を有し、
該表示部に、前記外部装置から受信したデータに基づく画像を表示する手段を備えることを特徴とする請求項１又は請求項２に記載のデータ送受信装置。
【請求項４】
受信した画像データに基づく画像記録処理を行う画像記録装置において、
前記画像記録処理の際又は該画像記録処理後、１又は複数の選択的処理を実行し、
自装置の選択的処理に係るデータの送信を外部装置から要求された場合、前記データを、前記外部装置に送信する手段を備えることを特徴とする画像記録装置。
【請求項５】
前記データの送信要求に対し、該データを送信する宣言をＩＴＵ−ＴのＴシリーズ勧告の範囲外である非標準機能によって前記外部装置に伝える手段を備えることを特徴とする請求項４に記載の画像記録装置。
【請求項６】
請求項１から３のいずれか一つに記載のデータ送受信装置と、請求項４又は５に記載の画像記録装置とを備えることを特徴とするデータ送受信システム。
【発明の詳細な説明】
【技術分野】
【０００１】
本発明は、画像記録処理の以降に１又は複種の選択的処理を実行する画像記録装置、該画像記録装置に画像データを送信するデータ送受信装置、並びに前記画像記録装置及びデータ送受信装置を備えるデータ送受信システムに関する。
【背景技術】
【０００２】
近年、ファックス原稿の画像データをメールの添付ファイルとして送信するインターネットファックス、及び画像データをファックス信号に変換してそのまま送信するリアルタイム転送方式インターネットファックスが普及されている。
【０００３】
これらのインターネットファックスにおいては、端末が有する機能を示す能力データを通信相手機と交換する方式がＲＦＣ（Ｒｅｑｕｅｓｔ  ｆｏｒ  Ｃｏｍｍｅｎｔｓ）化されており、送信時に能力データ交換によって通信相手機の能力を取得し、送信すべき画像データを送信側にて通信相手機の能力に合わせて自動変換して送信することが可能となっている。
【０００４】
しかし、このような場合、原画像データが通信相手機の能力に合わせる自動変換を経て、送信者が意図しない解像度、文書サイズに変換された状態で送信される不都合が発生する問題があった。
【０００５】
このような問題を解決するため、特許文献１では、通信相手機が使用可能な能力データを送信者に表示して選択を受付けて送信を行うことにより、送信者が意図しない送信を防止することができる画像通信装置を提案している。
【特許文献１】特開２００７−８８８９１号公報
【発明の開示】
【発明が解決しようとする課題】
【０００６】
一方、コピー機能、印刷機能及びファクシミリ機能等を有するいわゆるデジタル複合機の多くは、上述したインターネットファックス機能、及び中綴じ、パンチ穴空け、紙折り及びステープル等のいわゆる後処理機能を備えている。送信者がこのようなデジタル複合機を用いて前記インターネットファックスを送信する場合、例えば受信側にて両面印刷、中綴じ等の処理が行われることを要望することがあり得る。
【０００７】
しかしながら、特許文献１の画像通信装置はこのような送信者の要望に対応することが出来ない。つまり、特許文献１の画像通信装置においては送信者が選択できるものは解像度、文書サイズに限られており、送信者が例えば前記後処理の中の何れかを選択し、受信側にて実行させることが出来ないといった問題があった。
【０００８】
本発明は斯かる事情に鑑みてなされたものであり、その目的とするところは、両面記録、記録済記録用紙のソート、中綴じ及びパンチ穴空け等の選択的処理を行う外部装置に画像データを送信するデータ送受信装置において、前記選択的処理に係るデータの送信を外部装置に要求する手段と、前記外部装置から受信した前記データに基づき、所定の選択的処理の実行指示を、前記外部装置に送信すべき画像データに付して送信する手段とを備えることにより、送信者が画像データを送信する場合、送信先たる外部装置が有する選択的処理機能を利用することが出来るデータ送受信装置及びデータ送受信システムを提供することにある。
【０００９】
また、本発明の他の目的は、前記選択的処理を備えた画像記録装置において、外部装置から前記選択的処理に係るデータの送信を要求された場合、該データを、前記外部装置に送信する手段を備えることにより、前記外部装置を用い画像データを送信する送信者が、前記画像記録装置が有する選択的処理機能を把握することが出来る画像記録装置及びデータ送受信システムを提供することにある。
【課題を解決するための手段】
【００１０】
本発明に係るデータ送受信装置は、受信した画像データに基づく画像記録処理の際又は該画像記録処理後、１又は複数の選択的処理を実行する外部装置に、画像データを送信するデータ送受信装置において、前記外部装置の選択的処理に係るデータの送信を前記外部装置に要求する手段と、前記外部装置から受信したデータに基づき、所定の選択的処理の実行指示を、前記外部装置に送信すべき画像データに付して送信する手段とを備えることを特徴とする。
【００１１】
本発明にあっては、外部装置に画像データを送信する場合、前記外部装置に前記選択的処理に係るデータの送信を要求する。前記外部装置から前記選択的処理に係るデータを受信した場合、受信した前記データに基づいて所定の選択的処理の実行指示を前記画像データに付して送信し、前記外部装置において前記実行指示に係る選択的処理が実行される。
【００１２】
本発明に係るデータ送受信装置は、前記外部装置への前記データの送信要求は、ＩＴＵ−ＴのＴシリーズ勧告の範囲外である非標準機能によって行うように構成していることを特徴とする。
【００１３】
本発明にあっては、前記手段は、ＩＴＵ−Ｔ（国際電気通信連合電気通信標準化部門）のＴシリーズ勧告の範囲外である非標準機能によって、例えばＮＳＣ（非標準機能命令）信号によって前記選択的処理に係るデータの送信を前記外部装置に要求する。
【００１４】
本発明に係るデータ送受信装置は、表示部を有し、該表示部に、前記外部装置から受信したデータに基づく画像を表示する手段を備えることを特徴とする。
【００１５】
本発明にあっては、前記外部装置から前記選択的処理に係るデータを受信した場合、前記手段が、受信した前記データに基づく画像を、例えば前記実行指示を受け付けるための画像を前記表示部に表示する。
【００１６】
本発明に係る画像記録装置は、受信した画像データに基づく画像記録処理を行う画像記録装置において、前記画像記録処理の際又は該画像記録処理後、１又は複数の選択的処理を実行し、自装置の選択的処理に係るデータの送信を外部装置から要求された場合、前記データを、前記外部装置に送信する手段を備えることを特徴とする。
【００１７】
本発明にあっては、前記外部装置から自装置の選択的処理に係るデータの送信を要求された場合、前記手段は前記選択的処理に係るデータを前記外部装置に送信し、自装置が備えた選択的処理を前記外部装置から把握可能とする。
【００１８】
本発明に係る画像記録装置は、前記データの送信要求に対し、該データを送信する宣言をＩＴＵ−ＴのＴシリーズ勧告の範囲外である非標準機能によって前記外部装置に伝える手段を備えることを特徴とする。
【００１９】
本発明にあっては、前記外部装置から自装置の選択的処理に係るデータの送信を要求された場合、前記手段が非標準機能によって、例えばＮＳＳ（非標準機能設定）信号によって、前記データを送信する宣言を前記外部装置に伝える。
【００２０】
本発明に係るデータ送受信システムは、前述の本発明のいずれか一つのデータ送受信装置と、前述の本発明のいずれか一つの画像記録装置とを備えることを特徴とする。
【００２１】
本発明にあっては、例えば、本発明に係るデータ送受信装置を発呼側端末とし、本発明に係る画像記録装置を着呼側端末とするデータ送受信システムにおいて、発呼側のデータ送受信装置が着呼側の画像記録装置の選択的処理に係るデータの送信を要求した場合、着呼側の画像記録装置が自装置の選択的処理に係るデータを発呼側のデータ送受信装置に送信する。
【発明の効果】
【００２２】
本発明によれば、前記選択的処理に係るデータの送信を前記外部装置に要求し、受信したデータに基づき、所定の選択的処理の実行指示を、送信すべき画像データに付して前記外部装置に送信するので、送信者が画像データを送信する場合、外部装置が有する選択的処理機能を利用することが出来る。
【００２３】
本発明によれば、前記選択的処理を実行する画像記録装置が外部装置から前記選択的処理に係るデータの送信を要求された場合、前記選択的処理に係るデータを前記外部装置に送信するので、前記外部装置から画像データを送信しようとする送信者が前記画像記録装置の選択的処理機能を把握することが出来る。
【発明を実施するための最良の形態】
【００２４】
以下、図面に基づいて、本発明に係るデータ送受信装置、画像記録装置及びデータ送受信システムを具体的に説明する。前記データ送受信システムは、例えば前記データ送受信装置を送信側とし、前記画像記録装置を受信側とする。また、本発明に係るデータ送受信装置及び画像記録装置としては、コピー機能、印刷機能、ファクシミリ機能等を有するデジタル複合機を例に挙げて説明する。
【００２５】
図１は本発明に係るデジタル複合機の要部構成を示すブロック図である。デジタル複合機は、原稿を読み取って画像データを取得する画像読み取り部１と、送信者の操作によって指示を受け付ける操作部２と、取得された画像データに基づき、記録用紙上への画像記録（画像記録処理）を行う画像形成部３と、画像データを記憶するハードディスク装置（ＨＤ）４と、外部機器とのデータ通信を行う通信部５と、他のデジタル複合機と通信するためのＦＡＸモデム７と、ジョブの実行におけるデジタル複合機の機能を示す能力データを記憶している管理部８と、装置全体の制御を司る機器制御部９とを備えている。
【００２６】
画像読み取り部１は、撮像素子のＣＣＤ１０と、原稿台及び自動原稿送り装置（ＡＤＦ）にセットされた原稿を検知する原稿検知センサ１１とを備え、原稿の画像データを取得する。ＣＣＤ１０によって読み取られた画像の画像データは画像形成部３に出力される。
【００２７】
操作部２は、各種入力キーからなる入力部１２と、液晶ディスプレイ等からなり、後述の処理受付画像１３ａが表示される表示部１３とを備える。入力部１２を介して送信者の指示が入力され、入力内容（例えば送信先の番号）、デジタル複合機の動作状況等が表示部１３に表示される。なお、表示部１３はタッチパネルを備え、入力部としても機能する。
【００２８】
画像形成部３は、取得された画像データを記憶するローカルメモリ２０と、レーザ走査ユニットを有する印字部２１と、手差しトレイ、カセットトレイ２２等を備えた給紙部と、排紙トレイ２３を備えた排紙部と、画像処理部２４とを有しており、前記給紙部から供給された記録用紙上に画像を記録して前記排紙部へ排紙する。
【００２９】
ローカルメモリ２０は、ＳＤＲＡＭ、フラッシュメモリ等の読み書き可能な半導体メモリを用いる。ローカルメモリ２０は、取得された画像データを記憶する領域と、出力するための画像データを記憶する領域とに分割されている。なお、１つのローカルメモリ２０を分割して使用する代わりに、２つのローカルメモリ２０を入力用と出力用として、それぞれ使用してもよい。
【００３０】
取得された画像データはローカルメモリ２０に記憶される。画像データは、画像処理部２４によって圧縮、伸張、加工等の画像処理が行われ、ローカルメモリ２０に記憶される。画像処理された画像データは印字部２１、ハードディスク装置４あるいは機器制御部９に送出される。印字部２１は、ローカルメモリ２０に記憶された画像データに基づいて、給紙部から供給される記録用紙に画像を記録する。
【００３１】
通信部５は、ＬＡＮケーブルを介してルータ、スイッチングハブ等に接続され、パソコン、サーバ等の情報処理装置３０および他のデジタル複合機３１によって形成されたネットワークＮ１と接続されている。ネットワークＮ１は、電話回線網及び光ファイバ等の通信回線を介してインターネットＮ２に接続されている。通信部５は、ネットワークＮ１内の情報処理装置３０とデータの送受信を行うとともに、インターネットＮ２を通じて外部の情報処理装置３０及びデジタル複合機３１とデータ及び電子メールの送受信を行う。さらに、インターネットＮ２を通じてデジタル複合機３１とインターネットファクシミリ通信も行う。ＦＡＸモデム７は、電話線を介して電話回線網Ｎ３に接続され、外部のデジタル複合機６とファクシミリ通信を行う。
【００３２】
管理部８は、通信速度、解像度等の動作能力を示す能力データ、前記画像記録処理の際、又はその以降において実行される選択的処理として本発明に係るデジタル複合機に搭載されたものを示す搭載内訳データ８ａ、該搭載内訳データ８ａに係る選択的処理の実行可否を示す実行可否データ８ｂ等を記憶している。前記選択的処理としては、例えば、画像記録における両面記録、記録済記録用紙のソート等の処理、及び画像記録後における中綴じ、パンチ穴空け、紙折り及びステープル等のいわゆる後処理が挙げられる。
【００３３】
機器制御部９は、上述したハードウエア各部と接続され、これらの制御を行うＣＰＵと、デジタル複合機の動作に必要な種々のソフトウェアのプログラム、例えば、処理受付画像１３ａを形成するためのプログラムが予め格納されたＲＯＭと、ＳＲＡＭまたはフラッシュメモリ等で構成され、ソフトウェアの実行時に発生する一時的なデータを記憶するＲＡＭとを備える。
【００３４】
機器制御部９は、送信者の指示に従って取得された画像データに対するジョブを実行する。すなわち、画像読み取り部１又は外部機器からの画像データを取得して、管理部８に記憶されているデータに基づいて前記ハードウエア各部を制御して取得された画像データを処理する。ジョブの実行により、取得された画像データに対して、コピー、プリント、スキャナ、ファックス送受信のいずれかが実行され、画像データが所望の形態で出力される。
【００３５】
ハードディスク装置４は、画像データを保存する。また、ハードディスク装置４は、画像データ以外のデータとして、データの処理に関する管理データを記憶する。管理データとしては、ファイリング管理データ、送信先管理データ、履歴管理データである。ファイリング管理データは、取得された画像データを保存したファイルのリストである。送信先管理データは、ファクシミリ通信における送信先のリストである。履歴管理データは、実行した処理内容のリストである。
【００３６】
以下、前記デジタル複合機のファクシミリ装置としての動作を説明する。例えば、画像読み取り部１によって読み取られた原稿の画像データ、又は通信部５を介して情報処理装置３０から取得された画像データは、ＦＡＸモデム７から電話回線網Ｎ３を通じてデジタル複合機６に送信される。インターネットファクシミリ通信を行う場合には、ネットワークＮ１、インターネットＮ２を通じてデジタル複合機３１に画像データを送信する。また、デジタル複合機６、３１から画像データを受信した場合は、取得された画像データをローカルメモリ２０に送り、出力する画像データとしてページ単位に展開し、一旦ハードディスク装置４に記憶する。そして、画像データは、ハードディスク装置４からローカルメモリ２０に送られ、印字部２１へ転送されて前記画像データに基づく画像が記録用紙上に記録される。
【００３７】
以下、本発明に係るデータ送受信装置、画像記録装置及びデータ送受信システムの動作について説明する。本発明に係るデータ送受信システムにおいては、例えば、データ送受信装置（発呼側デジタル複合機）が画像記録装置（被呼側デジタル複合機）に送信すべき画像データを送信する際、予め被呼側デジタル複合機の搭載内訳データ８ａ、実行可否データ８ｂ等のデータ（選択的処理に係るデータ）を送信するように要求し、被呼側デジタル複合機から前記データを受信する。被呼側デジタル複合機からの前記データを受信した発呼側デジタル複合機は、受信した被呼側のデジタル複合機の搭載内訳データ８ａ、実行可否データ８ｂ等のデータに基づき、送信者から被呼側デジタル複合機の選択的処理の選択を受け付けるための処理受付画像１３ａを表示部１３に表示する。つまり、送信者は表示部１３に表示された処理受付画像１３ａから、被呼側デジタル複合機にて実行すべき選択的処理を選択することが出来る。送信者による所定の選択的処理の選択を受け付けた発呼側デジタル複合機は、前記所定の選択的処理の実行指示を前記被呼側デジタル複合機に送信すべき画像データに付して送信し、被呼側デジタル複合機にて、前記画像データに基づく画像記録及び前記所定の選択的処理が行われる。
【００３８】
まず、説明の便宜上、発呼側デジタル複合機が、被呼側デジタル複合機の搭載内訳データ８ａ、実行可否データ８ｂ等のデータを送信するように被呼側デジタル複合機に要求し、前記データを被呼側デジタル複合機から受信する動作について説明する。
【００３９】
図２はデータ送受信装置（発呼側デジタル複合機）と画像記録装置（被呼側デジタル複合機）被呼側デジタル複合機との間での信号の送受信手順を示すタイミングチャート、図３及び図４は本発明に係るデータ送受信装置（発呼側デジタル複合機）の動作を示すフローチャート、図５及び図６は本発明に係る画像記録装置（被呼側デジタル複合機）の動作を示すフローチャートである。発呼側デジタル複合機と被呼側デジタル複合機との間での信号の送受信は、ＩＴＵ−Ｔ勧告Ｔ．３０に規定されたＧ３ファクシミリ通信の手順を用いるものとする。Ｇ３ファクシミリ通信の手順はフェーズＡからフェーズＥまでの５つのフェーズから構成されている。フェーズＡ（呼設定）では被呼側デジタル複合機との接続を行い、フェーズＢ（メッセージ前手順）ではデジタル複合機の機能の識別及び通信可能な条件の選定を行う。また、フェーズＣ（メッセージ伝送）ではメッセージ（画像データ）を被呼側デジタル複合機に伝送し、フェーズＤ（メッセージ後手順）では頁毎の送受信確認を行い、フェーズＥ（呼解除）では被呼側デジタル複合機との接続を開放する。
【００４０】
まず、送信者が操作部２を操作することにより、送信先（被呼側デジタル複合機）のファックス番号を入力する。操作部２を介してファックス番号の入力を受け付けた発呼側デジタル複合機のＣＰＵ（以下、略して発呼側デジタル複合機）は、被呼側デジタル複合機の呼び出しの開始、つまり発呼を行い（Ｓ１０１）、ＣＮＧ信号（発呼トーン）を送信する（Ｓ１０２、手順Ｐ１）。一方、被呼側デジタル複合機のＣＰＵ（以下、略して被呼側デジタル複合機）では着呼すると（Ｓ２０１）、ＣＮＧ信号を受信してＣＥＤ信号を送信する（Ｓ２０２、手順Ｐ２）。ここでＣＥＤ信号は、被呼側デジタル複合機が非音声端末であることを示す信号である。発呼側デジタル複合機は被呼側デジタル複合機からのＣＥＤ信号を受信する（Ｓ１０３）ことにより、発呼側デジタル複合機と被呼側デジタル複合機との間の呼が設定される。
【００４１】
次いで被呼側デジタル複合機は、ＮＳＦ（非標準機能識別）信号、ＣＳＩ（被呼端末識別）信号、ＤＩＳ（デジタル識別）信号を送信する（Ｓ２０３、手順Ｐ３）。ここで、ＮＳＦ信号は、被呼側デジタル複合機に装備されている非標準的な機能を示すものであって、デジタル複合機のメーカーが独自の情報を付することが出来る。また、ＣＳＩ信号は、割り当てられたファックス番号などによって被呼側デジタル複合機の確認を行うための信号であり、ＤＩＳ信号は、標準ＣＣＩＴＴ（国際電信電話諮問委員会）能力を示す信号である。
【００４２】
発呼側デジタル複合機はＮＳＦ信号、ＣＳＩ信号、ＤＩＳ信号を受信したか否かを判定する（Ｓ１０４）。被呼側デジタル複合機からＮＳＦ信号、ＣＳＩ信号、ＤＩＳ信号を受信していないと判定した場合（Ｓ１０４：ＮＯ）、ＮＳＦ信号、ＣＳＩ信号、ＤＩＳ信号を受信するまで待機する。一方、被呼側デジタル複合機からＮＳＦ信号、ＣＳＩ信号、ＤＩＳ信号を受信したと判定した場合は（Ｓ１０４：ＹＥＳ）、発呼側デジタル複合機は、ＤＴＣ（デジタル送信命令）信号及びＮＳＣ（非標準機能命令）信号を送信することにより、搭載内訳データ８ａ、実行可否データ８ｂ等のデータの送信を被呼側デジタル複合機に要求する（Ｓ１０５、手順Ｐ４）。
【００４３】
ここでＤＴＣ信号は、受信側になることを希望する発呼側端末から被呼側端末に対して送信されるデジタル送信命令であり、着呼側を送信側に切り替える、いわゆるポーリング機能が使用可能となる。つまり、ＤＴＣ信号の送信によって送受信の方向を切り替え、発呼側デジタル複合機が受信側になり、被呼側デジタル複合機が送信側になる。
【００４４】
ＮＳＣ信号は、ＮＳＦ信号と同様にデジタル複合機のメーカーが独自の情報を付することが可能であり、前記ＮＳＣ信号の中には、被呼側デジタル複合機の搭載内訳データ８ａ、実行可否データ８ｂ等のデータを送信するように要求する旨が含まれている。
【００４５】
被呼側デジタル複合機は、前記ＤＴＣ信号及びＮＳＣ信号を受信した場合（Ｓ２０４）、ＮＳＳ（非標準機能設定）信号、ＴＳＩ（送信端末識別）信号、ＤＣＳ（デジタル命令）信号を送信し（Ｓ２０５、手順Ｐ５）、発呼側デジタル複合機は前記ＮＳＳ信号、ＴＳＩ信号、ＤＣＳ信号を受信する（Ｓ１０６）。ここで、ＮＳＳ信号にはＮＳＣ信号によって要求された被呼側デジタル複合機の搭載内訳データ８ａ、実行可否データ８ｂ等のデータを送信する宣言が含まれている。ＴＳＩ信号は送信側を識別するための信号であり、ＤＣＳ信号は端末機能の設定を命じる信号である。
【００４６】
次いで被呼側デジタル複合機は、接続回線の品質を確認するために高速信号として、トレーニング信号及びＴＣＦ（トレーニングチェック）信号を送信する（Ｓ２０６、手順Ｐ６）。
【００４７】
発呼側デジタル複合機は、被呼側デジタル複合機からトレーニング信号及びＴＣＦ信号を受信したか否かを判定する（Ｓ１０７）。被呼側デジタル複合機からトレーニング信号及びＴＣＦ信号を受信していないと判定した場合（Ｓ１０７：ＮＯ）、トレーニング信号及びＴＣＦ信号を受信するまで待機する。一方、被呼側デジタル複合機からトレーニング信号及びＴＣＦ信号を受信したと判定した場合は（Ｓ１０７：ＹＥＳ）、発呼側デジタル複合機は、トレーニングが正常に行われたことを確認した後、確認完了通知としてＣＦＲ（受信準備確認信号）信号を送信する（Ｓ１０８、手順Ｐ７）。トレーニングが失敗した場合は、発呼側デジタル複合機はＦＴＴ信号（トレーニング失敗信号）を送信する。被呼側デジタル複合機は発呼側デジタル複合機からＦＴＴ信号を受信した場合、ＴＣＦ信号を再送信する。このようにして発呼側デジタル複合機と被呼側デジタル複合機との間のメッセージ前手順を完了する。
【００４８】
被呼側デジタル複合機はＣＦＲ信号を受信したか否かを判定する（Ｓ２０７）。被呼側デジタル複合機はＣＦＲ信号を受信していないと判定した場合（Ｓ２０７：ＮＯ）、ＣＦＲ信号を受信するまで待機する。一方、被呼側デジタル複合機はＣＦＲ信号を受信したと判定した場合（Ｓ２０７：ＹＥＳ）、自機の搭載内訳データ８ａ、実行可否データ８ｂ等のデータを管理部８から取得して発呼側デジタル複合機に送信し（Ｓ２０８、手順Ｐ８）、発呼側デジタル複合機は被呼側デジタル複合機の前記データを受信する（Ｓ１０９）。このようにして発呼側デジタル複合機と被呼側デジタル複合機との間のメッセージ伝送手順を完了する。
【００４９】
被呼側デジタル複合機は、自機の搭載内訳データ８ａ、実行可否データ８ｂ等のデータの送信が終了したか否かを判定する（Ｓ２０９）。被呼側デジタル複合機は前記送信が終了していないと判定した場合（Ｓ２０９：ＮＯ）、前記送信が終了するまで待つ。一方、被呼側デジタル複合機は前記送信が終了したと判定した場合（Ｓ２０９：ＹＥＳ）、ＥＯＰ（手順終了）信号を送信する（Ｓ２１０、手順Ｐ９）。
【００５０】
発呼側デジタル複合機は、被呼側デジタル複合機からＥＯＰ信号を受信したか否かを判定する（Ｓ１１０）。発呼側デジタル複合機は被呼側デジタル複合機からＥＯＰ信号を受信していないと判定した場合（Ｓ１１０：ＮＯ）、ＥＯＰ信号を受信するまで待機する。一方、発呼側デジタル複合機は被呼側デジタル複合機からＥＯＰ信号を受信したと判定した場合（Ｓ１１０：ＹＥＳ）、被呼側デジタル複合機の搭載内訳データ８ａ、実行可否データ８ｂ等のデータを正常に受信できたことを確認した後、ＭＣＦ（メッセージ確認）信号を送信し（Ｓ１１１、手順Ｐ１０）、被呼側デジタル複合機がＭＣＦ信号を受信する。このようにして発呼側デジタル複合機と被呼側デジタル複合機との間のメッセージ後手順を完了する。
【００５１】
被呼側デジタル複合機は、発呼側デジタル複合機からＭＣＦ信号を受信したか否かを判定する（Ｓ２１１）。被呼側デジタル複合機はＭＣＦ信号を受信していないと判定した場合（Ｓ２１１：ＮＯ）、ＭＣＦ信号を受信するまで待機する。一方、被呼側デジタル複合機はＭＣＦ信号を受信したと判定した場合（Ｓ２１１：ＹＥＳ）、ＤＣＮ（切断命令）信号を発呼側デジタル複合機に送信する（Ｓ２１２、手順Ｐ１１）。ここで、ＤＣＮ信号は、通信の切断を示す信号である。
【００５２】
発呼側デジタル複合機は、被呼側デジタル複合機からＤＣＮ信号を受信したか否かを判定する（Ｓ１１２）。発呼側デジタル複合機はＤＣＮ信号を受信していないと判定した場合（Ｓ１１２：ＮＯ）、ＤＣＮ信号を受信するまで待機する。一方、発呼側デジタル複合機はＤＣＮ信号を受信したと判定した場合（Ｓ１１２：ＹＥＳ）、通信を切断し、呼を開放する（Ｓ１１３）。
【００５３】
以上のように、被呼側デジタル複合機からの搭載内訳データ８ａ、実行可否データ８ｂ等のデータを受信した発呼側デジタル複合機は、送信者から被呼側デジタル複合機の選択的処理の選択を受け付けるための処理受付画像１３ａを、受信した前記データに基づいて表示部１３に表示し、送信者は被呼側デジタル複合機にて実行されるべき選択的処理の選択を行う。
【００５４】
以下、被呼側デジタル複合機の搭載内訳データ８ａ、実行可否データ８ｂ等のデータを受信した発呼側デジタル複合機が、処理受付画像１３ａを表示部１３に表示して送信者から所定の選択的処理の実行指示を受け付ける動作について説明する。
【００５５】
図７は本発明に係るデータ送受信装置（発呼側デジタル複合機）の動作を示すフローチャートである。発呼側デジタル複合機が被呼側デジタル複合機から搭載内訳データ８ａ、実行可否データ８ｂ等のデータを受信した場合（Ｓ３０１）、発呼側デジタル複合機のＣＰＵは前記データをＲＡＭに記憶する。
【００５６】
次いで、発呼側デジタル複合機のＣＰＵはＲＯＭに記憶されている処理受付画像１３ａを形成するためのプログラムに基づいて処理受付画像１３ａを形成し、表示部１３に表示する（Ｓ３０２）。図８は処理受付画像１３ａの一例を示す例示図である。処理受付画像１３ａには送信先の名前（あいう（株））と、送信先の端末（被呼側デジタル複合機）が備えている選択的処理を表示している。つまり、処理受付画像１３ａには送信先の端末が備えている選択的処理（例えば、ステープル、中綴じ、両面印刷等）を示す複数のソフトキー及び「ＯＫ」のソフトキーが表示されている。送信者はタッチパネルを備えた表示部１３の画面を触れることにより、又は入力部１２を操作することにより、送信先の端末にて実行すべき選択的処理を選択し、「ＯＫ」のソフトキーを操作する。これによって発呼側デジタル複合機のＣＰＵは選択的処理の選択を受け付ける。
【００５７】
発呼側デジタル複合機のＣＰＵは選択的処理の選択を受け付けたか否かを判定する（Ｓ３０３）。前記判定は処理受付画像１３ａの「ＯＫ」のソフトキーが操作されたか否かを監視することにより行われる。発呼側デジタル複合機のＣＰＵは選択的処理の選択を受け付けたと判定した場合（Ｓ３０３：ＹＥＳ）、受け付けた選択に係る選択的処理をＲＡＭに記憶する（Ｓ３０４）。
【００５８】
一方、発呼側デジタル複合機のＣＰＵは選択的処理の選択を受け付けていないと判定した場合（Ｓ３０３：ＮＯ）、該判定から所定時間が経過したか否かを判定する（Ｓ３０５）。発呼側デジタル複合機のＣＰＵは所定時間が経過してないと判定した場合（Ｓ３０５：ＮＯ）、再びＳ３０３に戻って選択的処理の選択を受け付けたか否かを判定する。一方、発呼側デジタル複合機のＣＰＵは所定時間経過までに選択的処理の選択を受け付けていないと判定した場合（Ｓ３０５：ＹＥＳ）、処理を終了する。
【００５９】
続いて、発呼側デジタル複合機が被呼側デジタル複合機に画像データを送信する際、前記所定の選択的処理の実行指示に係るデータを前記画像データに付して送信する動作について説明する。
【００６０】
図９はデータ送受信装置（発呼側デジタル複合機）と画像記録装置（被呼側デジタル複合機）との間での信号の送受信手順を示すタイミングチャート、図１０及び図１１は本発明に係るデータ送受信装置（発呼側デジタル複合機）の動作を示すフローチャート、図１２及び図１３は本発明に係る画像記録装置（被呼側デジタル複合機）の動作を示すフローチャートである。
【００６１】
まず、発呼側デジタル複合機は、被呼側デジタル複合機から搭載内訳データ８ａ、実行可否データ８ｂ等のデータを受信した後切断していた回線の接続を再度行う。発呼側デジタル複合機は、発呼を行い（Ｓ４０１）、ＣＮＧ信号（発呼トーン）を送信する（Ｓ４０２、手順Ｐ１）。一方、被呼側デジタル複合機では着呼すると（Ｓ５０１）、ＣＮＧ信号を受信してＣＥＤ信号を送信する（Ｓ５０２、手順Ｐ２）。発呼側デジタル複合機は被呼側デジタル複合機からのＣＥＤ信号を受信し（Ｓ４０３）、発呼側デジタル複合機と被呼側デジタル複合機との間の呼が設定される。
【００６２】
次いで被呼側デジタル複合機は、ＮＳＦ信号、ＣＳＩ信号、ＤＩＳ信号を送信する（Ｓ５０３、手順Ｐ３）。発呼側デジタル複合機はＮＳＦ信号、ＣＳＩ信号、ＤＩＳ信号を受信したか否かを判定する（Ｓ４０４）。被呼側デジタル複合機からＮＳＦ信号、ＣＳＩ信号、ＤＩＳ信号を受信していないと判定した場合（Ｓ４０４：ＮＯ）、ＮＳＦ信号、ＣＳＩ信号、ＤＩＳ信号を受信するまで待機する。一方、被呼側デジタル複合機からＮＳＦ信号、ＣＳＩ信号、ＤＩＳ信号を受信したと判定した場合（Ｓ４０４：ＹＥＳ）、発呼側デジタル複合機はＮＳＳ信号、ＴＳＩ信号、ＤＣＳ信号を送信し（Ｓ４０５、手順Ｐ４）、被呼側デジタル複合機は前記ＮＳＳ信号、ＴＳＩ信号、ＤＣＳ信号を受信する（Ｓ５０４）。ここで、ＮＳＳ信号はデジタル複合機のメーカーが独自の情報を付することができ、ＮＳＳ信号には送信者によって選択された被呼側デジタル複合機の所定の選択的処理を実行する宣言が含まれている。次いで発呼側デジタル複合機は、接続回線の品質を確認するために高速信号として、トレーニング信号及びＴＣＦ信号を送信する（Ｓ４０６、手順Ｐ５）。
【００６３】
被呼側デジタル複合機は、発呼側デジタル複合機からトレーニング信号及びＴＣＦ信号を受信したか否かを判定する（Ｓ５０５）。発呼側デジタル複合機からトレーニング信号及びＴＣＦ信号を受信していないと判定した場合（Ｓ５０５：ＮＯ）、トレーニング信号及びＴＣＦ信号を受信するまで待機する。一方、発呼側デジタル複合機からトレーニング信号及びＴＣＦ信号を受信したと判定した場合は（Ｓ５０５：ＹＥＳ）、被呼側デジタル複合機は、トレーニングが正常に行われたことを確認した後、確認完了通知としてＣＦＲ信号を送信する（Ｓ５０６、手順Ｐ６）。トレーニングが失敗した場合は、被呼側デジタル複合機はＦＴＴ信号を送信する。このようにして発呼側デジタル複合機と被呼側デジタル複合機との間のメッセージ前手順を完了する。
【００６４】
発呼側デジタル複合機はＣＦＲ信号を受信したか否かを判定する（Ｓ４０７）。発呼側デジタル複合機はＣＦＲ信号を受信していないと判定した場合（Ｓ４０７：ＮＯ）、ＣＦＲ信号を受信するまで待機する。一方、発呼側デジタル複合機はＣＦＲ信号を受信したと判定した場合（Ｓ４０７：ＹＥＳ）、被呼側デジタル複合機に送信すべき画像データに、前記所定の選択的処理の実行指示を付して送信する（Ｓ４０８、手順Ｐ７）。つまり、ＲＡＭに記憶されている送信者よって選択された所定の選択的処理の実行を被呼側デジタル複合機に指示するデータを、前記画像データに付して送信する。被呼側デジタル複合機は発呼側デジタル複合機から前記所定の選択的処理の実行指示を付した画像データを受信し（Ｓ５０７）、発呼側デジタル複合機と被呼側デジタル複合機との間のメッセージ伝送手順を完了する。
【００６５】
発呼側デジタル複合機は、前記所定の選択的処理の実行指示を付した画像データの送信が終了したか否かを判定する（Ｓ４０９）。発呼側デジタル複合機は前記送信が終了していないと判定した場合（Ｓ４０９：ＮＯ）、前記送信が終了するまで待つ。一方、発呼側デジタル複合機は前記送信が終了したと判定した場合（Ｓ４０９：ＹＥＳ）、ＥＯＰ信号を送信する（Ｓ４１０、手順Ｐ８）。
【００６６】
被呼側デジタル複合機は、発呼側デジタル複合機からＥＯＰ信号を受信したか否かを判定する（Ｓ５０８）。被呼側デジタル複合機は発呼側デジタル複合機からＥＯＰ信号を受信していないと判定した場合（Ｓ５０８：ＮＯ）、ＥＯＰ信号を受信するまで待機する。一方、被呼側デジタル複合機は発呼側デジタル複合機からＥＯＰ信号を受信したと判定した場合（Ｓ５０８：ＹＥＳ）、前記所定の選択的処理の実行指示を付した画像データを正常に受信できたことを確認した後、ＭＣＦ信号を送信し（Ｓ５０９、手順Ｐ９）、発呼側デジタル複合機がＭＣＦ信号を受信する。このようにして発呼側デジタル複合機と被呼側デジタル複合機との間のメッセージ後手順を完了する。
【００６７】
発呼側デジタル複合機は、被呼側デジタル複合機からＭＣＦ信号を受信したか否かを判定する（Ｓ４１１）。発呼側デジタル複合機はＭＣＦ信号を受信していないと判定した場合（Ｓ４１１：ＮＯ）、ＭＣＦ信号を受信するまで待機する。一方、発呼側デジタル複合機はＭＣＦ信号を受信したと判定した場合（Ｓ４１１：ＹＥＳ）、ＤＣＮ信号を被呼側デジタル複合機に送信する（Ｓ４１２、手順Ｐ１０）。
【００６８】
被呼側デジタル複合機は、発呼側デジタル複合機からＤＣＮ信号を受信したか否かを判定する（Ｓ５１０）。被呼側デジタル複合機はＤＣＮ信号を受信していないと判定した場合（Ｓ５１０：ＮＯ）、ＤＣＮ信号を受信するまで待機する。一方、被呼側デジタル複合機はＤＣＮ信号を受信したと判定した場合（Ｓ５１０：ＹＥＳ）、通信を切断し、呼を開放する（Ｓ５１１）。
【００６９】
以降、被呼側デジタル複合機では、受信した画像データに基づき、記録用紙上への画像記録を行う。また、前記画像記録の際又はその以降に、前記画像データに付されていた前記所定の選択的処理の実行指示に係る所定の選択的処理が実行される。つまり、送信者によって選択された選択処理が中綴じである場合、中綴じの実行指示が画像データに付されて被呼側デジタル複合機に送信され、被呼側デジタル複合機は、前記画像データに基づく画像記録を行った後、画像記録済の記録用紙の中綴じを実行する。
【図面の簡単な説明】
【００７０】
【図１】本発明に係るデジタル複合機の要部構成を示すブロック図である。
【図２】本発明に係る送受信システムにおいて、データ送受信装置（発呼側デジタル複合機）と画像記録装置（被呼側デジタル複合機）との間での信号の送受信手順を示すタイミングチャートである。
【図３】本発明に係るデータ送受信装置（発呼側デジタル複合機）の動作を示すフローチャートである。
【図４】本発明に係るデータ送受信装置（発呼側デジタル複合機）の動作を示すフローチャートである。
【図５】本発明に係る画像記録装置（被呼側デジタル複合機）の動作を示すフローチャートである。
【図６】本発明に係る画像記録装置（被呼側デジタル複合機）の動作を示すフローチャートである。
【図７】本発明に係るデータ送受信装置（発呼側デジタル複合機）の動作を示すフローチャートである。
【図８】処理受付画像の一例を示す例示図である。
【図９】本発明に係る送受信システムにおいて、データ送受信装置（発呼側デジタル複合機）と画像記録装置（被呼側デジタル複合機）との間での信号の送受信手順を示すタイミングチャートである。
【図１０】本発明に係るデータ送受信装置（発呼側デジタル複合機）の動作を示すフローチャートである。
【図１１】本発明に係るデータ送受信装置（発呼側デジタル複合機）の動作を示すフローチャートである。
【図１２】本発明に係る画像記録装置（被呼側デジタル複合機）の動作を示すフローチャートである。
【図１３】本発明に係る画像記録装置（被呼側デジタル複合機）の動作を示すフローチャートである。
【符号の説明】
【００７１】
１  画像読み取り部
２  操作部
３  画像形成部
４  ハードディスク装置
８ａ  搭載内訳データ
８ｂ  実行可否データ
１３  表示部
１３ａ  処理受付画像（画像）
【図１】
2009260498.tif 000003
【図２】
2009260498.tif 000004
【図３】
2009260498.tif 000005
【図４】
2009260498.tif 000006
【図５】
2009260498.tif 000007
【図６】
2009260498.tif 000008
【図７】
2009260498.tif 000009
【図８】
2009260498.tif 000010
【図９】
2009260498.tif 000011
【図１０】
2009260498.tif 000012
【図１１】
2009260498.tif 000013
【図１２】
2009260498.tif 000014
【図１３】
2009260498.tif 000015